(57)【要約】【課題】共同住宅における自動火災報知設備およびインターホン設備を複合させた警報監視システムにおいて各住戸からの呼出情報を簡便に利用できるシステムを得る。【解決手段】少なくとも複合盤と複数の住宅情報盤とを有する共同住宅警報監視システムにおいて、前記住宅情報盤から前記複合盤に対する呼出しが有ったことを示す呼出情報を記憶する記憶手段と、該記憶手段に記憶されている呼出情報を読出して表示する呼出情報表示手段と、を備えたものであり、管理員が不在の場合にも、住宅情報盤からの呼出しを受ける複合盤が呼出情報を記憶部に格納し、事後に管理員が複合盤を確認することで容易に呼出情報を認識でき、シンプルなシステム構成で、インターホン通話による連絡事項が円滑に行われる。【選択図】  図１
2004173196.tif 000002
【特許請求の範囲】
【請求項１】
少なくとも複合盤と複数の住宅情報盤とを有する共同住宅警報監視システムにおいて、
前記住宅情報盤から前記複合盤に対する呼出しが有ったことを示す呼出情報を記憶する記憶手段と、
該記憶手段に記憶されている呼出情報を読出して表示する呼出情報表示手段と、
を備えたことを特徴とする共同住宅警報監視システム。
【請求項２】
記憶手段は、住宅情報盤からの呼出状態が所定時間継続するときに呼出情報を記憶する請求項１の共同住宅警報監視システム。
【請求項３】
記憶手段は、複数の呼出情報を記憶できるとともに、呼出情報表示手段は、前記記憶手段に記憶されている前記各呼出情報を順次読出して表示する順次呼出表示機能を有する請求項２の共同住宅警報監視システム。
【請求項４】
記憶手段に呼出情報が記憶されていることを示す呼出代表表示手段および連絡音鳴動手段のいずれかまたは組み合わせを有する請求項１ないし３いずれかの共同住宅警報監視システム。
【請求項５】
記憶手段に記憶されている呼出情報にある住宅情報盤を複合盤が呼出し、該住宅情報盤と該複合盤との間で通話が終了したときに、該住宅情報盤に関する呼出情報を前記記憶手段から消去する呼出消去手段を備えている請求項１ないし４いずれかの共同住宅警報監視システム。
【請求項６】
少なくとも複合盤と複数の住宅情報盤とを有する共同住宅警報監視システムにおいて、
前記複合盤から前記住宅情報盤に対する呼出しが有ったことを示す呼出情報を記憶する第２の記憶手段と、
該第２の記憶手段に呼出情報が記憶されていることを示す呼出表示手段と、
を備えたことを特徴とする共同住宅警報監視システム。
【請求項７】
第２の記憶手段は、複合盤からの呼出状態において該複合盤のセットスイッチ操作に基づいて呼出情報を記憶する請求項６の共同住宅警報監視システム。
【請求項８】
第２の記憶手段に記憶されている呼出情報に基づき複合盤を住宅情報盤が呼出し、該住宅情報盤と該複合盤との間で通話が終了したときに、前記呼出情報を前記第２の記憶手段から消去するものである請求項６または７の共同住宅警報監視システム。
【発明の詳細な説明】
【０００１】
【産業上の利用分野】
本発明は、共同住宅における自動火災報知設備およびインターホン設備を複合させた警報監視システムに関する。
【０００２】
【従来の技術】
管理員のいる共同住宅では、各住戸と管理室とに住戸機および管理室機からなるインターホン設備が設けられ、各住戸の居住者と管理員との間でインターホンを通じて連絡が取れるようになっている。
【０００３】
また、集合玄関を有する共同住宅では、集合玄関用の集合玄関機が設けられ、各住戸もしくは管理室の間で通話が行えるようになっている。（例えば、特許文献１を参照）。
【０００４】
【特許文献１】
特開２０００−６９１８１号公報
【０００５】
【発明が解決しようとする課題】
上記のようなインターホン設備では、居住者が住戸機から管理室機を呼出したときに管理員が不在の場合には、再度の呼出しを必要とするとともに、住戸機からの呼出しは、一度通話制御装置で受信した後に通話制御装置が管理室機に呼出しを送信する必要があり、連接する住戸などの複数住戸から同時期に呼出しがあると、伝送の負荷が大きくなってしまう。
【０００６】
したがって、本発明は、共同住宅における自動火災報知設備およびインターホン設備を複合させた警報監視システムにおいて各住戸からの呼出情報を簡便に利用できるシステムを得ることを目的とする。
【０００７】
【課題を解決するための手段】
本発明は、少なくとも複合盤と複数の住宅情報盤とを有する共同住宅警報監視システムにおいて、前記住宅情報盤から前記複合盤に対する呼出しが有ったことを示す呼出情報を記憶する記憶手段と、該記憶手段に記憶されている呼出情報を読出して表示する呼出情報表示手段と、を備えたことを特徴とするものである。
【０００８】
さらに、記憶手段は、住宅情報盤からの呼出状態が所定時間継続するときに呼出情報を記憶するものであり、また、記憶手段は、複数の呼出情報を記憶できるとともに、呼出情報表示手段は、前記記憶手段に記憶されている前記各呼出情報を順次読出して表示する順次呼出表示機能を有するものである。
【０００９】
また、記憶手段に呼出情報が記憶されていることを示す呼出代表表示手段および連絡音鳴動手段のいずれかまたは組み合わせを有するものである。
【００１０】
また、記憶手段に記憶されている呼出情報にある住宅情報盤を複合盤が呼出し、該住宅情報盤と該複合盤との間で通話が終了したときに、該住宅情報盤に関する呼出情報を前記記憶手段から消去する呼出消去手段を備えているものである。
【００１１】
また、第２の発明として、少なくとも複合盤と複数の住宅情報盤とを有する共同住宅警報監視システムにおいて、前記複合盤から前記住宅情報盤に対する呼出しが有ったことを示す呼出情報を記憶する第２の記憶手段と、該第２の記憶手段に呼出情報が記憶されていることを示す呼出表示手段と、を備えたことを特徴とするものである。
【００１２】
この第２の記憶手段は、複合盤からの呼出状態において該複合盤のセットスイッチ操作に基づいて呼出情報を記憶するとともに、第２の記憶手段に記憶されている呼出情報に基づき複合盤を住宅情報盤が呼出し、該住宅情報盤と該複合盤との間で通話が終了したときに、前記呼出情報を前記第２の記憶手段から消去するものである。
【００１３】
【発明の実施の形態】
以下、本発明を利用する実施の形態について図面を用いて説明する。図１は本発明を利用する共同住宅用警報監視複合システムのシステム系統図、図２および図３は図１に用いられる複合盤、住宅情報盤および集合玄関機についてのブロック構成図である。
【００１４】
図１において、１０は複合盤、２０は集合玄関機、３０は住宅情報盤、５０はドアホン、６１は熱式や煙式等の火災感知器、６２はガス漏れ検知器、６３は防犯スイッチ、６４は非常呼出スイッチ、６５は共用部に設けられる火災感知器、６６は共用部に設けられる防排煙機器等の制御装置、７０は映像アダプタ、Ｌ１は伝送線、Ｌ２は通話線、Ｌ３は映像線、Ｌ４はドアホン５０への通話線、Ｌ５はドアホン５０への制御線、Ｌ６１、Ｌ６２、Ｌ６３、Ｌ６４、Ｌ６５およびＬ６６はそれぞれ信号線である。
【００１５】
複合盤１０は、インターホン設備の通話制御装置としての通話制御機能と、テレビモニタシステムを提供するためのモニタ制御機能と、自動火災報知設備の火災受信機としてのセキュリティ監視機能とを有し、共同住宅の管理室等に設置される。
【００１６】
集合玄関機２０は、共同住宅への訪問者が操作して各住戸を呼出すための装置であって、共同住宅の集合玄関等に設置される。
【００１７】
住宅情報盤３０は、セキュリティ監視機能に必要な、火災感知器６１、ガス漏れ検知器６２、防犯スイッチ６３、非常呼出スイッチ６４等がそれぞれ信号線Ｌ６１、Ｌ６２、Ｌ６３およびＬ６４を介して接続されて各住戸に設置されるとともに、各住宅情報盤３０は伝送線Ｌ１、通話線Ｌ２および映像線Ｌ３を介して複合盤１０に接続されている。
【００１８】
ドアホン５０は、通話線Ｌ４および制御線Ｌ５を介して住宅情報盤３０に接続されて、各住戸の玄関等に設置される。
【００１９】
火災感知器６５は、集合玄関、ホール、廊下、機械室、集会室等の共同住宅の共用部に設けられるものであり、また、制御装置６６は、地区ベル装置、防排煙装置、消火装置等の火災発生時に制御される被制御機器であり、火災感知器６５同様に共同住宅の共用部に設けられるものである。
【００２０】
アダプタ７０は、映像線Ｌ３へ接続および切離しを制御するために各住宅情報盤３０に対応する各位置に設置されている。
【００２１】
このような構成によって実現される各種機能について簡単に説明すると、通話制御機能において、複合盤１０が集合玄関機２０から例えば８０１号室の呼出信号を受信すると、複合盤１０は、伝送線Ｌ１を介して呼出信号を８０１号室の住宅情報盤３０に送信し、８０１号室の住宅情報盤３０から応答信号を受信して、集合玄関機２０および８０１号室の住宅情報盤３０に接続信号を送信して、通話線Ｌ２に集合玄関機２０および８０１号室の住宅情報盤３０がそれぞれ接続して、通話線Ｌ２を介して通話路を形成する。
【００２２】
また、モニタ制御機能において、上記通話制御機能の動作を利用し、接続信号を受信した例えば８０１号室の住宅情報盤３０は、映像アダプタ７０を介して映像線Ｌ３に接続して、集合玄関機２０のカメラ機能に基づき送信される映像信号を映像線Ｌ３から受信する信号経路を形成する。
【００２３】
また、セキュリティ監視機能について、ガス漏れ検知器６２、防犯スイッチ６３、非常呼出スイッチ６４等の動作に基づくセキュリティ信号を住宅情報盤３０から複合盤１０が受信すると、送信した住宅情報盤３０が設置されている住戸の住戸番号やセキュリティ信号の種別等を表示および警報を行う。
【００２４】
同様に、セキュリティ監視機能の一部として火災警報制御機能を備え、火災感知器６１の作動に基づき住宅情報盤３０から火災信号を複合盤１０が受信すると、送信した住宅情報盤３０が設置されている住戸番号および火災の旨の表示および警報を行うとともに、複合盤１０から住戸番号を特定した警報信号を送出し、火災発生階とその直上階の住戸に設置されている住宅情報盤３０が警報信号の住戸番号から判別して火災警報を発する。
【００２５】
つぎに、複合盤１０において、１１は監視制御部、１２は表示部、１３は操作部、１４は通話回路、１５は送受話器、１６はスピーカ、１７は映像制御部、１８はテレビモニタ、１９は受信制御部、Ｍは記憶部である。
【００２６】
監視制御部１１は、記憶部ＭとともにＣＰＵやメモリを有し、インターホン設備と自動火災報知設備とにおける伝送制御、通話制御、セキュリティ監視制御、火災監視警報制御、遠隔試験制御等を行う。
【００２７】
記憶部Ｍは、住宅情報盤３０から複合盤１０に対する呼出しが有ったことを示す呼出情報が記憶されるものであり、フラッシュメモリ等の書換え可能な不揮発性の記憶手段によるものである。
【００２８】
表示部１２は、インターホン設備と自動火災報知設備とに関係する各種表示灯と、ＬＣＤ等の表示器とを有し、監視制御部１１の制御によって各種表示を行う。
【００２９】
操作部１３は、インターホン設備と自動火災報知設備とに用いられるテンキー等の各種操作スイッチを有する。
【００３０】
通話回路１４は、複合盤１０が設けられる管理室等から管理員がインターホン通話を行うものであり、送受話器１５を有する。
【００３１】
映像制御部１７は、集合玄関機２０からの映像線Ｌ３を介して、映像信号を受信し、各住宅情報盤３０への映像線Ｌ３へその映像信号を送出する接続制御を行うとともに、受信した映像信号を複合盤１０盤面のテレビモニタ１８に映出できるようになっている。
【００３２】
また、住宅情報盤３０において、３１は警報受信回路、３３は警報音響回路、３４は通話回路、３５は送受話器、３６は表示部、３７は操作部、３９は制御部、４０はスピーカ、４１は映像回路、４２はテレビモニタ、４３は映像切換制御回路、４４は通話切換回路、ｍは記憶部である。
【００３３】
警報受信回路３１は、火災感知器６１、ガス漏れ警報機６２、防犯スイッチ６３、非常呼出スイッチ６４等が接続されて、それらからの信号入力を監視している。
【００３４】
警報音響回路３３は、各種の警報内容等の音響および音声データを記憶した図示しないメモリ、音声合成回路およびアンプ等を有するものである。
【００３５】
通話回路３４は、住戸内から居住者がインターホン通話を行うものであり、送受話器３５を備えるとともに、通話切換回路４４を介して通話線Ｌ２に接続切換が行われる。
【００３６】
表示部３６は、詳細に示さないが、複合盤１０から呼出しがあったことを示す図示しない管理室呼出表示灯を含んでいる。すなわち、この図示しない管理室呼出表示灯の点灯時には、記憶部ｍに呼出情報が記憶されている。
【００３７】
操作部３７は、詳細に示さないが、管理室（複合盤１０）を呼び出す呼出スイッチや集合玄関ドア解錠スイッチ等の各種スイッチを有する。
【００３８】
制御部３９は、記憶部ｍとともにＣＰＵやメモリを有し、伝送線Ｌ１を介して複合盤１０との間で各種伝送制御を行い、住宅情報盤３０全体の監視制御を行う。
【００３９】
映像回路４１は、映像線Ｌ３に送出される映像信号をテレビモニタ４２に映出するものであり、住居内の居住者が集合玄関等に来訪した来客の顔や姿等を確認する。そして、映像回路４１の映像線Ｌ３への接続は、映像線Ｌ３の所定位置にそれぞれ設けられている映像アダプタ７０への切換制御を行う映像切換回路４３からの切換出力による。
【００４０】
記憶部ｍは、複合盤１０から住宅情報盤３０に対する呼出しが有ったことを示す呼出情報が記憶されるものであり、フラッシュメモリ等の書換え可能な不揮発性の記憶手段によるものである。
【００４１】
また、図２のドアホン５０において、５１は呼出スイッチ、５２はマイク、５３はスピーカ、５４は通電表示灯である。
【００４２】
つぎに、図４によって複合盤１０の表示部１２および操作部１３に関する盤面の一部を説明する。図４は、複合盤１０の盤面のうち、インターホンによる呼出しに関するブロックを示すものであり、その他の自動火災報知設備としての火災表示や音声警報等に関するブロックも、図示しないが存在する。また、盤面としては、ハンドセット、スピーカ孔、ＬＣＤ画面等も存在する。
【００４３】
８１は部屋番号表示部、８２はテンキー、８３はメモリ灯、８４はメモリセットスイッチ、８５はメモリリセットスイッチ、８６は住戸音響停止スイッチ、８７は緊急呼出スイッチ、８８は一斉放送スイッチ、８９は警報復旧スイッチ、９０は呼出スイッチ、９１は取消スイッチ、９２は解錠スイッチ、９３は解錠灯である。
【００４４】
部屋番号表示部８１は、住戸を示す部屋番号によって通話相手の部屋番号やその他機能操作時に必要な入力された部屋番号を表示するものである。
【００４５】
テンキー８２は、呼出先の部屋番号等、数字入力が必要なときに用いる必要なキー群である。
【００４６】
メモリ灯８３は、いすれかの住宅情報盤３０から呼出しがあり呼出情報が記憶部Ｍに記憶されているときに、呼出情報有りを示す表示灯である。
【００４７】
メモリセットスイッチ８４は、呼出情報が記憶部Ｍに記憶されているときに、呼出情報の部屋番号を部屋番号表示部８１に表示させるためのスイッチであり、複数の呼出情報が記憶されているときには、メモリ表示スイッチ８４の再操作によって順送り的に表示される。
【００４８】
なお、メモリセットスイッチ８４は呼出した住戸が不在時に複合盤１０からの呼出情報を住宅情報盤３０にセットするためのスイッチを兼用しており、送受話器１５を取り上げたオフフックの状態で、メモリセットスイッチ８４を操作するときに、部屋番号表示部８１に表示された部屋番号の住宅情報盤３０に複合盤１０から呼出し有りの呼出情報を、住宅情報盤３０側に記憶させることができる。
【００４９】
メモリリセットスイッチ８５は、記憶部Ｍに記憶されている呼出情報の部屋番号を部屋番号表示部８１に表示させた状態で操作するときに、その呼出情報を消去することができるスイッチであり、呼出情報が不要な場合に用いるものである。
【００５０】
なお、複合盤１０から住宅情報盤３０への呼出情報を消去するスイッチを兼用しており、送受話器１５を取り上げたオフフックの状態で、メモリ消去スイッチ８４を操作する場合、部屋番号表示部８１に表示された部屋番号の住宅情報盤３０にセットした住宅情報盤３０側の呼出情報を消去することができる。
【００５１】
住戸音響停止スイッチ８６は、各住宅情報盤３０のセキュリティ監視の結果として異常を警報している場合に、その警報音を停止させるスイッチである。
【００５２】
緊急呼出スイッチ８７は、いずれかの住宅情報盤３０において異常発生時に、複合盤１０から緊急に該当住宅情報盤３０を呼出すときに操作するスイッチであり、通話線Ｌ２が使用中であってもそれを開放してインターホン通話を可能とする。
【００５３】
一斉放送スイッチ８８は、住宅情報盤３０全てに話し掛けるときに用いるスイッチであり、このスイッチ８８を押圧することで、全ての住宅情報盤３０が通話線Ｌ２に接続されて、通話内容を全住戸に流すことができるものである。
【００５４】
警報復旧スイッチ８９は、住宅情報盤３０のセキュリティ機能による警報発生時に、安全を確認してから平常の監視状態に戻すときに操作されるスイッチである。
【００５５】
呼出スイッチ９０は、インターホン通話を行うときに、テンキー８２から部屋番号を入力してから操作することによって、部屋番号表示部８１に表示した部屋番号の住宅情報盤３０を呼出すスイッチである。
【００５６】
取消スイッチ９１は、テンキー８２からの部屋番号入力を誤ったときに、その入力を取り消すためのスイッチであり、未入力状態に戻って部屋番号表示部８１の表示がクリアされるものである。
【００５７】
解錠スイッチ９２は、図示しない集合玄関の扉を遠隔的に開放することができるスイッチであり、この集合玄関の扉は、詳細に説明しないが、オートロックで自動的に鎖錠されるようになっている。
【００５８】
解錠灯９３は、図示しない集合玄関の扉が開放されているときに点灯する表示灯である。
【００５９】
つぎに、上記構成による実施の形態の動作について、説明する。
【００６０】
図５は、図１における複合盤１０に関する動作を概略的に示したフローチャートであり、また、図６は、図１における住宅情報盤に関する動作を概略的に示したフローチャートである。
【００６１】
このシステムの基本的動作として、集合玄関機２０と各住宅情報盤３０との間、複合盤１０と各住宅情報盤３０との間、および、集合玄関機２０と複合盤１０との間における通話制御が行われる。そのうちで、集合玄関機２０からいずれかの住宅情報盤３０を呼び出して通話する場合として説明する。
【００６２】
例えば、３０１号室を訪問する来客が集合玄関に設けられている集合玄関機２０の図示しないテンキーによって「３０１」を入力し、図示しない呼出スイッチを操作すると、集合玄関機２０は、３０１号室の集合玄関機２０からの呼出に関する呼出信号が伝送線Ｌ１を介して複合盤１０に送信される。また、集合玄関機２０は、図示しないテレビカメラをオンして来客の撮影を開始する。
【００６３】
複合盤１０の監視制御部１１は、呼出信号を受信すると（Ｓ１１）、集合玄関機２０から３０１号室を呼出すことを判別し、３０１号室のアドレスを付加して伝送線Ｌ１に通話制御信号を送信し、また、映像制御部１７を起動させて集合玄関機２０から受信した映像信号を映像線Ｌ３に送出する（Ｓ１３）。
【００６４】
上記通話制御信号を受信した３０１号室の住宅情報盤３０の制御部３９は、受信した通話制御信号から自己への呼出であることを判別して（Ｓ３２）、スピーカ４０から呼出音を発生し、また、表示部３６に集合玄関からの呼出を示し、映像回路４１を起動して映像切換回路４３を介して映像アダプタ７０へ切換出力を行う。
【００６５】
この切換出力による映像アダプタ７０の切換接続により、映像回路４１は映像線Ｌ３に接続されて、集合玄関機２０のカメラ機能としての図示しないテレビカメラが撮影した映像信号を受信して、テレビモニタ４２へ表示する（Ｓ３３）。
【００６６】
そして、３０１号室の居住者がテレビモニタ４２に映出された画像から来客の顔等を確認し、送受話器３５が持ち上げられると、制御部３９は、自己アドレスを付加した伝送信号としてオフフック信号を、伝送線Ｌ１を介して複合盤１０に送信し、また、切換回路４４に切換出力を行い、通話回路３４を通話線Ｌ２に接続させる（Ｓ３３）。
【００６７】
伝送信号としてオフフック信号を受信した複合盤１０の監視制御部１１は、集合玄関機２０に上記と同様の通話制御信号を送信し、集合玄関機２０の図示しない通話回路をオンさせる（Ｓ１３）。これによって、集合玄関機２０の前に存在する来客と、３０１号室の居住者との間でインターホン通話が行われる。
【００６８】
通話が終わり、居住者が送受話器３５を戻してオンフック状態となると、３０１号室の住宅情報盤３０の制御部３９は、自己アドレスを付加した伝送信号としてオンフック信号を、伝送線Ｌ１を介して複合盤１０に送信し、また、切換回路４４への切換出力を停止して通話回路３４を通話線Ｌ２から切離し、同様に、映像切換回路４３を介して映像アダプタ７０への切換出力を停止して、映像回路を映像線から切離し、それぞれ元の状態へ復帰する（Ｓ３３）。
【００６９】
伝送信号としてオンフック信号を受信した複合盤１０の監視制御部１１は、集合玄関機２０に通話終了信号を送信し（Ｓ１３）、集合玄関機２０は、図示しない通話回路、映像回路、テレビカメラ等をオフして元の状態に復帰する。
【００７０】
なお、その他の場合のインターホン通話も、上記と同様の通話制御および映像制御がなされる。
【００７１】
つぎに、火災監視警報処理の動作について、例えば６０１号室で火災が発生した場合について説明する。
【００７２】
６０１号室の火災感知器６１が作動し、火災信号を出力すると、６０１号室の住宅情報盤３０の警報受信回路３１が火災信号を受信して制御部３９に入力し（Ｓ３４）、制御部３９は、警報音響回路３３の図示しない音声合成回路を制御してスピーカ４０から「この住戸で火災感知器が作動しました」のような音声警報を発する（Ｓ３５）。
【００７３】
この住宅情報盤３０からの音声警報によって、６０１号室の居住者が住戸内を確認して、誤報または火災の初期消火ができれば操作部３７の図示しない復旧スイッチを操作して復旧操作を行えばよいが、初期消火が無理な火災の場合には操作部３７の図示しない火災確定スイッチを操作して火災確定入力を行い、制御部３９は、自己のアドレスを付加した伝送信号としての火災信号を、伝送線Ｌ１を介して複合盤１０へ送信する（Ｓ３５）。なお、６０１号室が不在であっても、制御部３９は、警報受信回路３１への火災感知器６１からの火災信号の入力から所定時間（例えば２分等）の経過によって、上記のように伝送信号としての火災信号を送信する。
【００７４】
火災信号を受信した複合盤１０の監視制御部１１は、６０１号室からの火災信号であることを判別して（Ｓ１６）、表示部１２の図示しない火災の表示灯を点灯させ、また、６０１号室から火災信号があったことを図示しないＬＣＤに文字表示し、さらに、スピーカ１６から警報音および火災の旨の音声警報を出力する（Ｓ１７）。
【００７５】
また、複合盤１０の監視制御部１１は、火災の発生した６０１号室と同一階である６階の各住戸の住宅情報盤３０およびその直上階である７階の各住戸の住宅情報盤３０に火災鳴動を行わせるため、フロア単位または個々の住宅情報盤３０をアドレス指定した伝送信号としての警報制御信号を、伝送線Ｌ１を介して送信する（Ｓ１７）。同時に、廊下等の共用部に制御装置６６として地区ベル装置が設けられている場合、信号制御線Ｌ６６を介して６階および７階の制御装置６６に鳴動出力する（Ｓ１７）。
【００７６】
これによって、６０１号室を除く６階および７階の各住戸の住宅情報盤３０において、制御部３９が警報制御してスピーカ４０から「６０１号室から火災が発生しました」等の火災警報を行う（Ｓ３５）。
【００７７】
つぎに、このシステムにおける一つの住宅情報盤３０から複合盤１０をインターホン呼出しして、無応答で記憶部Ｍに呼出情報がセットされる場合の動作について説明する。
【００７８】
まず、居住者が住宅情報盤３０から呼出動作を行うが、例えば５０１号室の居住者が管理員とインターホン通話しようとし、住宅情報盤３０の送受話器３５を取り上げて、操作部３７の図示しない管理員呼出スイッチを操作すると、制御部３９は、５０１号室からの呼出に関する管理員呼出信号を、伝送線Ｌ１を介して複合盤１０に送信する。また、通話切換回路４４に切換出力を行い、通話回路３４を通話線Ｌ２に接続させる。
【００７９】
複合盤１０の監視制御部１１は、伝送線Ｌ１を介して管理員呼出信号を受信すると、５０１号室からの管理員呼出しであることを判別し、部屋番号表示部８１に部屋番号「５０１」を表示するとともに、スピーカ１６から呼出音を発生させる。そして、管理員が気付いて送受話器１５を取り上げると、複合盤１０の監視制御部１１は通話回路１４を通話線Ｌ２に接続して、５０１号室の住宅情報盤３０とのインターホン通話を可能な状態とする。
【００８０】
ここで、管理員が管理室に不在等で送受話器１５が取り上げられない場合、監視制御部１１は、スピーカ１６から呼出音を発生させている時間を計測し、所定時間経過後に、５０１号室から呼出があった旨の呼出情報を記憶部Ｍに記憶する。そして、表示部１２のメモリ灯８３を点灯させる。
【００８１】
なお、スピーカ１６からの呼出音は継続され、呼出そうとする居住者が諦めて５０１号室の住宅情報盤３０に送受話器３５を戻すことでオンフックとなり、５０１号室から伝送信号として停止信号を複合盤１０の監視制御部１１が受信したときに、スピーカ１６からの呼出音を停止する。また、呼出情報を記憶部Ｍに格納した後に、管理員が管理室等に戻ってインターホン呼出に気付き、送受話器３５を取り上げ、５０１号室とのインターホン通話が成立すると、監視制御部１１がこのオフフック検出時に記憶部Ｍの呼出情報を消去する。
【００８２】
ここで、複合盤１０では、記憶部Ｍに呼出情報を記憶している状態をメモリ灯８３の点灯のみで示さず、スピーカ１６から注意音を発してもよい。監視制御部１１は、「ピピッ、ピピッ、ピピッ、…」とそれほど大きな音でなく注意音をスピーカ１６から鳴動させることによって、管理員の注意を引くことができる。なお、これらの表示および鳴動はいずれかで管理員が気付くことになるが、双方を利用することによって、管理員が見逃すことを防止できる。
【００８３】
つぎに、上記呼出情報を確認する場合について、複合盤１０の盤面においてメモリ灯８３が点灯していることを管理員が確認すると、複合盤１０に呼出情報があることを認識でき、その呼出情報を確認する。
【００８４】
管理員は、複合盤１０の盤面にあるメモリセットスイッチ８４を操作し、監視制御部１１が操作部１３からその操作入力を検知して、記憶部Ｍの呼出情報を読み出して、その発信元である部屋番号「５０１」を盤面の部屋番号表示部８１に表示させる。これによって、管理員は５０１号室から呼出しがあったことが理解できる。そして、部屋番号表示部８１に「５０１」を表示した状態で送受話器１５を取って、呼出スイッチ９０を操作することにより、５０１号室のアドレスを付加して伝送線Ｌ１に伝送信号として通話制御信号を送信する。
【００８５】
この通話制御信号を受信した５０１号室の住宅情報盤３０の制御部３９は、受信した通話制御信号から自己への呼出しであることを判別して（Ｓ３２）、スピーカ４０から呼出音を発生し、既に説明したように、５０１号室の居住者が送受話器３５を取ることによってインターホン通話が開始される（Ｓ３３）。この５０１号室からのオフフック信号を監視制御部１１が受信したとき、インターホン通話が成立したとして、監視制御部１１は記憶部Ｍから５０１号室の呼出情報を消去する。
【００８６】
上記の管理員がメモリセットスイッチ８４を操作して部屋番号「５０１」を部屋番号表示部８１に表示した状態で、管理員の判断でインターホン通話が不要であると判断されるとき、管理員はメモリリセットスイッチ８５を操作すると、監視制御部１１がその操作を検出して、記憶部Ｍ内の５０１号室からの呼出情報を、通話することなく消去することができる。
【００８７】
また、記憶部Ｍに、５０１号室に加えて複数の部屋からの呼出情報が記憶されている場合には、複合盤１０のメモリセットスイッチ８４を操作して「５０１」を部屋番号表示部８１に表示させ、さらにメモリセットスイッチ８４を操作することで、５０１号室の次に複合盤１０を呼出した部屋番号が部屋番号表示部８１の「５０１」に代えて表示される。このメモリセットスイッチ８４の再操作を繰り返すことで、記憶部Ｍ内に複数記憶された呼出情報を順次読み出して、部屋番号表示部８１に表示させることができる。これらの部屋番号全てに対して、管理員がインターホン呼出を行ったり、呼出情報を消去したりすることができる。
【００８８】
なお、記憶部Ｍに複数の呼出情報が記憶されている場合に、メモリ灯８３を点灯から点滅にさせることや別途複数有りを示す表示灯を設けて点灯させることもできる。また、図示しないＬＣＤ画面の一部に個数表示してもよい。
【００８９】
つぎに、このシステムにおける複合盤１０から一つの住宅情報盤３０をインターホン呼出しして、無応答の際に記憶部ｍに呼出情報をセットする場合の動作について説明する。
【００９０】
まず、管理員が複合盤１０から呼出動作を行うが、例えば管理員が５０２号室の居住者とインターホン通話しようし、複合盤１０の送受話器１５を取り上げて、テンキー８２から「５０２」を入力して部屋番号表示部８１に「５０２」を表示させ、呼出スイッチ９０を操作すると、監視制御部１１は、５０２号室への呼出に関する伝送信号としての呼出信号を、伝送線Ｌ１を介して送信する。また、通話切換回路１４に切換出力を行い、通話線Ｌ２に接続させる。
【００９１】
５０２号室の住宅情報盤３０における制御部３９は、伝送線Ｌ１を介して呼出信号を受信し、自己の呼出しであることを判別し、表示部３６の図示しない管理員呼出表示灯を点灯するとともに、スピーカ４０から呼出音を発生させる。そして、５０２号室の居住者が気付いて送受話器３５を取り上げると、制御部３９は通話切換回路３４に切換出力を行って通話回路３４を通話線Ｌ２に接続して、５０２号室の住宅情報盤３０とのインターホン通話を可能な状態とする。
【００９２】
ここで、居住者が不在等で送受話器３５が取り上げられない場合、管理員は通話できず、事後に５０２号室の居住者から呼出してほしい場合に、住宅情報盤３０の記憶部ｍに呼出情報を確認させる。この動作は、上記のように５０２号室を呼出している状態で、メモリセットスイッチ８４を操作することにより、監視制御部１１は、５０２号室に対する伝送信号としてのメモリセット信号を、伝送線Ｌ１を介して送信する。この信号を受信した５０２号室の住宅情報盤３０における制御部３９は、管理室から呼出しがあった旨の呼出情報を記憶部ｍに記憶し、そして、表示部３６の図示しない管理員呼出表示灯の点灯を継続させる。ここで、記憶部ｍに呼出情報が存在することを注意音で鳴動してもよく、「ピピッ、ピピッ、ピピッ、…」とそれほど大きな音でなく注意を促すための注意音をスピーカ４０から鳴動させることも可能である。
【００９３】
なお、スピーカ１６からの呼出音は継続されているところで、管理員が諦めて複合盤１０に送受話器１５を戻すことでオンフックとなり、伝送信号として停止信号を５０２号室の住宅情報盤３０の制御部３９が受信したときに、スピーカ４０からの呼出音を停止し、その後に呼出情報の注意音を発生させる。また、呼出情報を記憶部ｍに格納した後に、居住者がインターホン呼出に気付き、送受話器３５を取り上げ、５０２号室とのインターホン通話が成立すると、制御部３９がこのオフフック検出時に記憶部ｍの呼出情報を消去する。
【００９４】
つぎに、上記呼出情報を５０２号室の居住者が認識した場合について、住宅情報盤３０の盤面において図示しない管理員呼出表示灯が点灯していることを居住者が確認することで、管理員からの呼出情報があることを認識できる。
【００９５】
５０２号室の居住者は、送受話器４０を取って住宅情報盤３０の盤面にある図示しない管理員呼出スイッチを操作し、制御部３９がその操作入力を検知して、５０２号室のアドレスを付加して伝送信号として管理員呼出信号を、伝送線Ｌ１に送信する。
【００９６】
この通話制御信号を受信した複合盤１０の監視制御部１１は、受信した管理員呼出信号から５０２号室からの呼出しであることを判別して、スピーカ１６から呼出音を発生し、上記の如く、管理員が送受話器１５を取ることによってインターホン通話が開始される。この５０２号室からの管理員呼出信号を送出したとき、制御部３９は記憶部ｍから呼出情報を消去する。
【００９７】
なお、管理員の判断で５０２号室とのインターホン通話が不要であると判断されるとき、管理員は送受話器１５を取上げた状態で、テンキー８２から「５０２」を入力してメモリリセットスイッチ８５を操作すると、監視制御部１１がその操作を検出して、５０２号室に対する伝送信号としてのメモリリセット信号を、伝送線Ｌ１に送出して、５０２号室の住宅情報盤２０における記憶部ｍ内の呼出情報を、通話させることなく消去することができる。
【００９８】
また、住宅情報盤３０の記憶部ｍは、通常の場合、呼出情報を複数記憶する必要はないが、管理室が複数存在するなどの特殊物件の場合には、管理室を区別して記憶部ｍに呼出元を区別して複数の呼出情報を記憶できることが好ましい。なお、記憶部ｍに複数記憶される場合、図示しない管理員呼出スイッチの操作毎に、先着順として自動的に呼出して、事後消去することで順次呼出せるようにすることができる。
【００９９】
上記実施の形態において、複合盤１０の監視制御部１１および記憶部Ｍは、記憶手段の一例であり、複合盤１０の監視制御部１１、表示部１２および操作部１３は、呼出情報表示手段および呼出消去手段の一例であり、メモリ灯８３は、呼出代表表示手段の一例であり、さらに、スピーカ１６は、連絡音鳴動手段の一例である。なお、本発明の複合盤は、必ずしも実施の形態における複合盤１０の機能を全て備えている必要はなく、例えばモニタ機能は必須でなく、操作制御盤として従来の管理室機および伝送制御の機能を備えていればよい。
【０１００】
また、住宅情報盤３０の制御部３９の記憶部ｍは、第２の記憶手段の一例であり、表示部３６は、呼出表示手段の一例である。
【０１０１】
以上のように、本発明は、少なくとも複合盤と複数の住宅情報盤とを有する共同住宅警報監視システムにおいて、前記住宅情報盤から前記複合盤に対する呼出しが有ったことを示す呼出情報を記憶する記憶手段と、該記憶手段に記憶されている呼出情報を読出して表示する呼出情報表示手段と、を備えたものであり、管理員が不在の場合にも、住宅情報盤からの呼出しを受ける複合盤が呼出情報を記憶部に格納し、事後に管理員が複合盤を確認することで容易に呼出情報を認識でき、シンプルなシステム構成で、インターホン通話による連絡事項が円滑に行われる。
【０１０２】
さらに、記憶手段は、住宅情報盤からの呼出状態が所定時間継続するときに呼出情報を記憶するものであり、呼出す居住者に特別な操作は必要とせず、また、記憶手段は、複数の呼出情報を記憶できるとともに、呼出情報表示手段は、前記記憶手段に記憶されている前記各呼出情報を順次読出して表示する順次呼出表示機能を有し、管理員が長く席を外した場合でも対応することができるものである。
【０１０３】
また、記憶手段に呼出情報が記憶されていることを示す呼出代表表示手段を有するので、呼出情報の有無は簡便に認識することができる。
【０１０４】
また、記憶手段に記憶されている呼出情報にある住宅情報盤を複合盤が呼出し、該住宅情報盤と該複合盤との間で通話が終了したときに、該住宅情報盤に関する呼出情報を前記記憶手段から消去する呼出消去手段を備えているもので、特別な操作なしに不要な呼出情報が消去され、操作ミスがない。
【０１０５】
また、第２の発明として、少なくとも複合盤と複数の住宅情報盤とを有する共同住宅警報監視システムにおいて、前記複合盤から前記住宅情報盤に対する呼出しが有ったことを示す呼出情報を記憶する第２の記憶手段と、該第２の記憶手段に呼出情報が記憶されていることを示す呼出表示手段と、を備えたものであり、住戸の居住者が不在の場合にも、複合盤からの呼出しを受ける住宅情報盤が呼出情報を記憶部に格納し、事後に居住者が住宅情報盤を確認することで容易に呼出情報を認識でき、シンプルなシステム構成で、インターホン通話による連絡事項が円滑に行われる。
【０１０６】
この第２の記憶手段は、複合盤からの呼出状態において該複合盤のセットスイッチ操作に基づいて呼出情報を記憶するとともに、第２の記憶手段に記憶されている呼出情報に基づき複合盤を住宅情報盤が呼出し、該住宅情報盤と該複合盤との間で通話が終了したときに、前記呼出情報を前記第２の記憶手段から消去するものであり、特別な操作なしに不要な呼出情報が消去され、操作ミスがない。
【図面の簡単な説明】
【図１】本発明の実施の形態の一例を示すシステム系統図。
【図２】図１の複合盤および集合玄関機を示すブロック構成図。
【図３】図１の住宅情報盤を示すブロック構成図。
【図４】図１の複合盤盤面の一部外観図。
【図５】図１の複合盤の動作を示すフローチャート。
【図６】図１の住宅情報盤の動作を示すフローチャート。
【符号の説明】
１０    複合盤
１１    監視制御部
３０    住宅情報盤
３９    制御部
Ｍ、ｍ    記憶部
【図１】
2004173196.tif 000003
【図２】
2004173196.tif 000004
【図３】
2004173196.tif 000005
【図４】
2004173196.tif 000006
【図５】
2004173196.tif 000007
【図６】
2004173196.tif 000008